(57)【要約】【課題】カメラ機能動作時においても、そのノイズの影響による受信感度の劣化を抑える、安定した受信性能を備えた移動通信端末を提供すること。【解決手段】それぞれが独立に無線回路に接続可能である複数のアンテナと、前記複数のアンテナの内の１つを選択して無線回路に接続する切替え回路と、映像を撮影するためのカメラ機能とを備える移動通信端末装置において、カメラ機能時に選択すべきアンテナを予め設定して記憶する手段と、カメラ動作時に前記予め設定されたアンテナに切替えて、無線回路に接続する制御手段を備えることで、カメラ動作時には予め設定するノイズの影響の受け難いアンテナに直ちに切替えるように制御する。【選択図】  図１
2006197451.tif 000002
【特許請求の範囲】
【請求項１】
それぞれが独立に無線回路に接続可能である複数のアンテナと、前記複数のアンテナの内の１つを選択して前記無線回路に接続する切替え回路と、映像を撮影するためのカメラと、を備える移動通信端末装置において、前記カメラ動作時に選択すべきアンテナを予め設定して記憶する手段と、前記カメラ動作時に前記予め設定されたアンテナに切替えて、無線回路に接続する制御手段を備えること、を特徴とする移動通信端末装置。
【請求項２】
それぞれが独立に無線回路に接続可能である複数のアンテナと、前記複数のアンテナの内の１つを選択して前記無線回路に接続する切替え回路と、映像を撮影するためのカメラと、内部回路の統括的な制御を行うマイクロプロセッサと、を備える移動通信端末装置において、前記マイクロプロセッサは、前記カメラ動作時に選択すべきアンテナを予め記憶し、前記カメラ動作時に前記選択すべきアンテナに切替えて前記無線回路への接続制御を行うことを特徴とする移動通信端末装置。
【請求項３】
それぞれが独立に無線回路に接続可能である複数のアンテナと、前記複数のアンテナの内の１つを選択して前記無線回路に接続する切替え回路と、映像を撮影するためのカメラと、内部回路の統括的な制御を行うマイクロプロセッサと、を備える移動通信端末装置において、前記カメラ動作時に選択すべきアンテナを予め設定して記憶し、前記カメラ動作時に前記予め設定されたアンテナに切替えて前記無線回路に接続する制御を行うように前記マイクロプロセッサを機能させるプログラムを記憶するプログラム記憶部を備えることを特徴とする移動通信端末装置。
【請求項４】
それぞれが独立に無線回路に接続可能である複数のアンテナと、前記複数のアンテナの内の１つを選択して前記無線回路に接続する切替え回路と、映像を撮影するためのカメラと、内部回路の統括的な制御を行うマイクロプロセッサと、を備える移動通信端末において、前記マイクロプロセッサを、前記カメラ動作時に選択すべきアンテナを予め設定して記憶する手段、前記カメラ動作時に前記予め設定されたアンテナに切替えて、前記無線回路に接続する制御手段、として機能させるためのアンテナ切替え制御プログラム。
【請求項５】
それぞれが独立に無線回路に接続可能である複数のアンテナと、前記複数のアンテナの内の１つを選択して前記無線回路に接続する切替え回路と、映像を撮影するためのカメラと、内部回路の統括的な制御を行うマイクロプロセッサと、を備える移動通信端末において、前記マイクロプロセッサを、前記カメラ動作時に選択すべきアンテナを予め設定して記憶する手段、前記カメラ動作時に前記予め設定されたアンテナに切替えて、前記無線回路に接続する制御手段、として機能させるためのアンテナ切替え制御プログラムを記憶したプログラム記憶装置。
【請求項６】
それぞれが独立に無線回路に接続可能である複数のアンテナと、前記複数のアンテナの内の１つを選択して前記無線回路に接続する切替え回路と、映像を撮影するためのカメラと、を備える移動通信端末装置のアンテナ切替え制御部において、前記カメラ動作時に選択すべきアンテナを予め設定して記憶する手段と、前記カメラ動作時に前記切替え回路を制御して前記予め設定されたアンテナを前記無線回路に接続する切替え回路制御手段と、を有するアンテナ切替え制御部。
【請求項７】
それぞれが独立に無線回路に接続可能である複数のアンテナと、前記複数のアンテナの内の１つを選択して前記無線回路に接続する切替え回路と、映像を撮影するためのカメラと、前記切替え回路および前記カメラを制御するマイクロプロセッサと、を備える移動通信端末装置のアンテナ切替え方法において、前記マイクロプロセッサが前記カメラの動作を検知するステップと、前記マイクロプロセッサが前記カメラが動作していることを検知したならば、前記切替え回路を制御し、予め定めたアンテナと前記無線回路とを接続するステップと、を備えることを特徴とするアンテナ切替え方法。
【発明の詳細な説明】
【技術分野】
【０００１】
本発明は、複数のアンテナとカメラとを備える移動通信端末装置および前記複数のアンテナの切替え制御方法に関するものである。
【背景技術】
【０００２】
昨今の移動通信の発達に伴い、移動端末装置の高機能化が進んでいる。特にＣＣＤ（Ｃｈａｒｇｅ  Ｃｏｕｐｌｅｄ  Ｄｅｖｉｃｅｓ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などの光に反応する半導体素子を使って映像を電気信号に変換し、デジタルデータとしてフラッシュメモリなどの記憶媒体に記憶するカメラ機能の内蔵は一般的になってきている（例えば特許文献１参照）。一方、通信機能としては音声通信のみならず、ＷＥＢブラウジング、メール等のデータ通信、さらには前記カメラから取り込んだデジタル画像データの送受信、テレビ電話機能等が搭載されており、このような多様な通信形態において、常に良好な無線性能を実現するため移動通信端末に複数のアンテナを備え、適宜切替え制御を行う機能もまた一般的になってきている（例えば特許文献２参照）。
【０００３】
図５は複数のアンテナとカメラとを備える移動通信端末装置の基本構成を示す図である。図５において１０１は第１アンテナ、１０２は第２アンテナ、１０３は第１アンテナ１０１と第２アンテナ１０２の内からいずれか一方を選択し切替えるアンテナ切替え回路、１０４は周波数の異なる送信、受信の高周波経路を結合するためのデュプレクサ、１０５は送信回路、１０６は受信回路、１０８はカメラ、５０１は送受信するデータの処理や各構成部を制御するための演算を行うＣＰＵ(Ｃｅｎｔｒａｌ  Ｐｒｏｃｅｓｓｉｎｇ  Ｕｎｉｔ)、５０２はＣＰＵ５０１の演算に必要なプログラムが格納されるＲＯＭ(Ｒｅａｄ  Ｏｎｌｙ  Ｍｅｍｏｒｙ)、５０３はＣＰＵ５０１が演算を行う上で必要なデータなどが適宜記憶されるＲＡＭ(Ｒａｎｄｏｍ  Ａｃｃｅｓｓ  Ｍｅｍｏｒｙ)、１１２はインタフェースである。図５では送信回路と受信回路の高周波信号の分離・結合はデュプレクサにて行っているが、無線アクセス方式がＴＤＭＡ（Ｔｉｍｅ  Ｄｉｖｉｓｉｏｎ  Ｍｕｌｔｉｐｌｅ  Ａｃｃｅｓｓ）である無線通信システムに対応する移動通信端末装置では、高周波スイッチにて選択的に切替える構成になっているものもある。
【０００４】
以上のような構成の移動通信端末装置における受信回路の受信電力は、基地局からの距離や障害物の有無などの物理的な条件、特に移動時においてはフェージングなどの電波伝播特性によって絶えず変化している。特に移動通信に用いられる比較的高い周波数においては、アンテナの位置が数ミリ〜数センチ異なるだけで、受信電力に大きな差が見られる。さらに、図６は通信形態による移動端末装置を保持する形態の違いを示す図であり、音声通信、ＷＥＢブラウジング、メール、テレビ電話など様々な通信形態によって、使用者が移動端末装置を保持する形態が異なっており、これによって、移動通信端末に備えられた物理的な位置関係と人体近接の影響から、各アンテナの性能に優劣が発生する。このような状況から、複数備えたアンテナの中から、高い受信信号電力が得られるアンテナを適宜選択し切替えるよう制御がなされているのが一般的である。
【特許文献１】特開２００３−１５２８４７号公報（第１６頁、図２）
【特許文献２】特開２００３−７８４７３号公報（第８頁、図１）
【発明の開示】
【発明が解決しようとする課題】
【０００５】
しかしながら、このような従来の移動通信端末装置においては、受信信号電力だけを元にアンテナを選択すると、選択したアンテナがカメラ本体、或いは撮影データの処理回路、データ記憶回路と近接して配置されている場合には、カメラから撮影データを取り込み処理する際に発生するノイズの影響を受け、結果的に受信感度が劣化してしまうという課題があった。
【０００６】
本発明は、上記従来の移動通信端末装置の課題に鑑みてなされたものであって、カメラ機能の動作中には映像を電気信号に変換し、デジタルデータとして記憶媒体に記憶するといった一連の撮影処理によって発生するノイズの影響を考慮した上で、最適なアンテナを選択し切替えることのできる移動通信端末装置、アンテナ切替え制御プログラム、プログラム記憶装置およびアンテナ切替え方法を提供するものである。
【課題を解決するための手段】
【０００７】
本発明の請求項１に記載の移動通信端末装置は、それぞれが独立に無線回路に接続可能である複数のアンテナと、前記複数のアンテナの内の１つを選択して前記無線回路に接続する切替え回路と、映像を撮影するためのカメラと、を備える移動通信端末装置において、前記カメラ動作時に選択すべきアンテナを予め設定して記憶する手段と、前記カメラ動作時に前記予め設定されたアンテナに切替えて、無線回路に接続する制御手段を備えるという構成を有している。この構成により、カメラ動作によって発生するノイズの受信信号への影響度が低くなるアンテナをカメラ動作時に選択するように予め設定することにより、カメラ動作による受信感度などの性能劣化を未然に防ぎ、カメラ動作時にも安定した受信性能を実現する優れた移動通信端末装置を提供することができる。
【０００８】
本発明の請求項２に記載の移動通信端末装置は、それぞれが独立に無線回路に接続可能である複数のアンテナと、前記複数のアンテナの内の１つを選択して前記無線回路に接続する切替え回路と、映像を撮影するためのカメラと、内部回路の統括的な制御を行うマイクロプロセッサと、を備える移動通信端末装置において、前記マイクロプロセッサは、前記カメラ動作時に選択すべきアンテナを予め記憶し、前記カメラ動作時に前記選択すべきアンテナに切替えて前記無線回路への接続制御を行うという構成を有している。この構成により、カメラ動作によって発生するノイズの受信信号への影響度が低くなるアンテナをカメラ動作時に選択するように予め設定することにより、カメラ動作による受信感度などの性能劣化を未然に防ぎ、カメラ動作時にも安定した受信性能を実現する優れた移動通信端末装置を提供することができる。
【０００９】
本発明の請求項３に記載の移動通信端末装置は、それぞれが独立に無線回路に接続可能である複数のアンテナと、前記複数のアンテナの内の１つを選択して前記無線回路に接続する切替え回路と、映像を撮影するためのカメラと、内部回路の統括的な制御を行うマイクロプロセッサと、を備える移動通信端末装置において、前記カメラ動作時に選択すべきアンテナを予め設定して記憶し、前記カメラ動作時に前記予め設定されたアンテナに切替えて前記無線回路に接続する制御を行うように前記マイクロプロセッサを機能させるプログラムを記憶するプログラム記憶部を備えるという構成を有している。この構成により、カメラ機能動作によって発生するノイズの受信信号への影響度が低くなるアンテナをカメラ動作時に選択するように予め設定することにより、カメラ動作による受信感度などの性能劣化を未然に防ぎ、カメラ動作時にも安定した受信性能を実現する優れた移動通信端末装置を提供することができる。
【００１０】
本発明の請求項４に記載のアンテナ切替え制御プログラムは、それぞれが独立に無線回路に接続可能である複数のアンテナと、前記複数のアンテナの内の１つを選択して前記無線回路に接続する切替え回路と、映像を撮影するためのカメラと、内部回路の統括的な制御を行うマイクロプロセッサと、を備える移動通信端末において、前記マイクロプロセッサを、前記カメラ動作時に選択すべきアンテナを予め設定して記憶する手段、前記カメラ動作時に前記予め設定されたアンテナに切替えて、前記無線回路に接続する制御手段、として機能させるという構成である。この構成により、カメラ動作によって発生するノイズの受信信号への影響度が低くなるアンテナをカメラ動作時に選択するように予め設定することにより、カメラ動作による受信感度などの性能劣化を未然に防ぐことができる。
【００１１】
本発明の請求項５に記載のプログラム記憶装置は、それぞれが独立に無線回路に接続可能である複数のアンテナと、前記複数のアンテナの内の１つを選択して前記無線回路に接続する切替え回路と、映像を撮影するためのカメラと、内部回路の統括的な制御を行うマイクロプロセッサと、を備える移動通信端末において、前記マイクロプロセッサを、前記カメラ動作時に選択すべきアンテナを予め設定して記憶する手段、前記カメラ動作時に前記予め設定されたアンテナに切替えて、前記無線回路に接続する制御手段、として機能させるためのアンテナ切替え制御プログラムを記憶するという構成を有している。この構成により、カメラ動作によって発生するノイズの受信信号への影響度が低くなるアンテナをカメラ動作時に選択するように予め設定することにより、カメラ動作による受信感度などの性能劣化を未然に防ぐことができる。
【００１２】
本発明の請求項６に記載のアンテナ切替え制御部は、それぞれが独立に無線回路に接続可能である複数のアンテナと、前記複数のアンテナの内の１つを選択して前記無線回路に接続する切替え回路と、映像を撮影するためのカメラと、を備える移動通信端末装置のアンテナ切替え制御部において、前記カメラ動作時に選択すべきアンテナを予め設定して記憶する手段と、前記カメラ動作時に前記切替え回路を制御して前記予め設定されたアンテナを前記無線回路に接続する切替え回路制御手段と、を備えるという構成を有している。この構成により、カメラ動作によって発生するノイズの受信信号への影響度が低くなるアンテナをカメラ動作時に選択するように予め設定することにより、カメラ動作による受信感度などの性能劣化を未然に防ぐことができる。
【００１３】
本発明の請求項７に記載のアンテナ切替え制御方法は、それぞれが独立に無線回路に接続可能である複数のアンテナと、前記複数のアンテナの内の１つを選択して前記無線回路に接続する切替え回路と、映像を撮影するためのカメラと、前記切替え回路および前記カメラを制御するマイクロプロセッサと、を備える移動通信端末装置のアンテナ切替え方法において、前記マイクロプロセッサが前記カメラの動作を検知するステップと、前記マイクロプロセッサが前記カメラが動作していることを検知したならば、前記切替え回路を制御し、予め定めたアンテナと前記無線回路とを接続するステップと、を備えるという構成を有している。この構成により、カメラ動作によって発生するノイズの受信信号への影響度が低くなるアンテナをカメラ動作時に選択するように予め設定することにより、カメラ機能動作による受信感度などの性能劣化を未然に防ぐことができる。
【発明の効果】
【００１４】
本発明の移動通信端末装置、アンテナ切替え制御プログラム、プログラム記憶装置、アンテナ切替え制御システムおよびアンテナ切替え方法によれば、カメラ機能動作時に発生するノイズの受信信号への影響を抑えることで安定した受信性能が得られる。
【発明を実施するための最良の形態】
【００１５】
以下、図面に基づき、本発明の第１および第２の実施形態を詳細に説明する。
【００１６】
（実施の形態１）
まず、図１乃至図３を参照して、本発明の第１実施形態における移動通信端末装置、アンテナ切替えシステムおよびアンテナ切替え制御方法について説明する。
【００１７】
図１は本発明の第１実施形態における移動通信端末装置の構成例を示すブロック図である。図１において１０１は第１アンテナ、１０２は第２アンテナ、１０３は第１アンテナ１０１と第２アンテナ１０２の内からいずれか一方を選択し切替えるアンテナ切替え回路、１０４は周波数の異なる送信、受信の高周波経路を結合するためのデュプレクサ、１０５は送信回路、１０６は受信回路、１０７は送信回路１０５および受信回路１０６の制御を行う送受信制御部、１０８はカメラ、１０９はカメラ１０８の動作制御を行うカメラ動作制御部、１１０はカメラ１０８の動作時に選択すべきアンテナを予め設定して記憶する記憶部、１１１はカメラ機能動作時に記憶部１１０に記憶された情報を読み出し、カメラ機能動作時に対応付けられたアンテナに切替えるようにアンテナ切替え回路１０３の制御を行うアンテナ切替え制御部、１１２は各構成部間の信号を受け渡すインタフェースである。ここでは、送信回路１０５と受信回路１０６の分離・結合はデュプレクサ１０４で実現したが、対応する移動通信システムの無線アクセス方式がＴＤＭＡ方式の場合には、高周波スイッチにて経路を選択的に切り替えるように構成しても良い。またここでは、各構成部の制御部は個々に配置したが、単一の制御部に全ての機能を持たせるように構成しても良い。
【００１８】
図２は、記憶部１１０にカメラの動作状態に対応付けて記憶される、選択するアンテナを示す図である。
【００１９】
図３は、印加電圧によるアンテナ切替え制御の一例を示す図である。
【００２０】
以下図１乃至図３を参照して、本発明の第１実施形態における移動通信端末装置、アンテナ切替え制御システムおよびアンテナ切替え制御方法について説明する。移動通信端末装置の第１アンテナ１０１および第２アンテナ１０２に到来する受信信号電力は基地局からの距離や障害物の有無などの物理的な条件、特に移動時においてはフェージングなどの電波伝播特性によって絶えずそれぞれ独立に変化している。また使用者が身に着けて保持する状態、置き方によって第１アンテナ１０１、第２アンテナ１０２のいずれかのアンテナが人体や近接する物体の影響で性能が劣化することがある。このため、常に良好な受信信号を得られるように第１アンテナ１０１と第２アンテナ１０２を選択的に切替えるアンテナ切替え制御を行うことが一般的である。本発明の第１実施形態では、アンテナ切替え制御部１１１は、カメラ動作制御部１０９がカメラ１０８の動作を制御する信号をモニタすることでカメラ１０８が動作中であるか否かを常に認知できるようにする。この結果カメラ１０８が非動作の場合には、図２に示す記憶部１１１に記憶される内容に従い、第１アンテナ１０１と第２アンテナ１０２を順次切替え、それぞれを接続した際の受信信号電力を送受信制御部１０７を介して認知し、この結果から大きい受信信号電力が得られる方のアンテナに切替えて固定するように制御を行う。一方、カメラ１０８が動作中の場合には、記憶部１１０からカメラ１０８動作中に対応付けられたアンテナが第２アンテナ１０２であるという情報を読み出し、直ちにアンテナを第２アンテナ１０２に切替えるように制御を行う。ここでは、カメラ１０８動作時のノイズの影響による受信感度等の性能劣化が最小となるアンテナを予め調べた結果から、第２アンテナ１０２を対応付けて記憶部１１０に記憶しておく。このようにカメラが動作している場合には、受信信号電力の大小に関係なく、直ちにカメラ動作時に対応付けられたアンテナに切替えるように制御を行う。
【００２１】
具体的なアンテナ切替え制御の例として、アンテナ切替え回路１０３が図３に示すようにアンテナに印加する電圧によって接点が切り替わるものである場合には、第１アンテナに切替える場合には０Ｖを印加し、第２アンテナに切替える場合には３Ｖを印加するようにする。
【００２２】
一般的に、カメラ本体、或いは撮影データの処理回路、データメモリ等の回路素子は小型の移動通信端末装置において比較的に大きな体積を占める。また、カメラが動作し、映像を電気信号に変換し、デジタルデータとしてフラッシュメモリなどの記憶媒体に記憶するといった一連の処理を行う際には、比較的高いレベルのノイズが発生し、このノイズの高調波がアンテナを介して受信回路１０６にて受信され、このノイズの妨害により受信性能が抑圧されてしまうことがある。特に移動通信端末に複数のアンテナを配置する場合に、全てのアンテナを前記ノイズの影響が無い状態に配置することは困難である。すなわち、カメラ本体やその周辺回路との物理的な位置関係によって、ノイズを受け易いアンテナと受け難いアンテナが存在する。このような状況において、カメラ機能動作時に受信信号電力のみを反映してアンテナの切替え制御を行うと、ノイズを受け易いアンテナが選択され、逆に受信感度などの性能劣化を引き起こす可能性がある。本発明の第１実施形態では、カメラ機能動作時には、ノイズの影響による受信性能の劣化が最小となるアンテナに切替える制御を行うため、カメラ機能動作による受信感度などの性能劣化を未然に防ぐことができる。
【００２３】
尚、第１実施形態では、アンテナの構成を、第１アンテナ１０１と第２アンテナ１０２の２本の構成として説明した。しかし、本実施形態はアンテナの数を限定するものではない。例えば、アンテナをさらに第３アンテナ、第４アンテナと増やした場合においても、カメラ機能動作時のノイズの影響による受信性能の劣化が最小となるアンテナを予め調べ、カメラ機能動作時のアンテナとして対応付けて記憶部１１０に設定することによって同様の効果が得られる。またこの場合のアンテナ切替え回路１０３は、アンテナの数だけ接点を増やしたものに変更し、具体的な制御方法としては、接点の数に見合うように制御信号の数を増やすことで対応することが可能である。
【００２４】
（実施の形態２）
次に図４を参照して、本発明の第２実施形態における移動通信端末装置、アンテナ切替え制御プログラムおよびプログラム記憶装置について説明する。
【００２５】
図４は本発明の第２実施形態における移動通信端末装置の構成例を示すブロック図である。図４において、図１のものと同一の部分については、図１のその部分と同一の符号を付してその説明を省略し、異なる部分について重点的に説明する。図４において図１と異なる部分は、記憶部１１０を削除し、アンテナ切替え制御部１１１をマイクロプロセッサ４０１とプログラム記憶部４０２とで置き換えて構成した点にある。プログラム記憶部４０２には、マイクロプロセッサ４０１をカメラ１０８動作時に選択すべきアンテナを予め設定して記憶する手段と、カメラ１０８動作時に前記予め設定されたアンテナに切替えて、無線回路に接続する制御手段として機能させるためのプログラムが格納されている。
【００２６】
以下図４を参照して、本発明の第２実施形態における移動通信端末装置、アンテナ切替え制御プログラムおよびプログラム記憶装置ついて説明する。まず、プログラム記憶部４０２に記憶されるプログラムによって、マイクロプロセッサ４０１は、カメラ動作制御部１０９がカメラ１０８の動作を制御する信号をモニタしカメラ１０８が動作中であるか否かを常に認知できるように動作する。この結果カメラ１０８が非動作の場合には、第１アンテナ１０１と第２アンテナ１０２を順次切替え、それぞれを接続した際の受信信号電力を送受信制御部１０７を介して認知し、この結果から大きい受信信号電力が得られる方のアンテナに切替えて固定するように制御させる。一方、カメラ１０８が動作中の場合には、直ちに、カメラ１０８動作中に予め対応付けられたアンテナ２に切替えるように制御させる。このようにカメラ１０８の動作、非動作に対応付けてアンテナの制御方法を変更する。ここでは、カメラ１０８の非動作時には第１アンテナ１０１と第２アンテナ１０２のうち、高い受信電力が得られるアンテナを選択するようにし、カメラ１０８動作時にはノイズの影響による受信感度等の性能劣化が最小となるアンテナを予め調べた結果から、第２アンテナ１０２を対応付けておく。このようにカメラが動作している場合には、受信信号電力の大小に関係なく、直ちにカメラ機能動作時に対応付けられたアンテナに切替えるように制御させる。
【００２７】
ここでは送受信制御部１０７およびカメラ制御部１０９をマイクロプロセッサ５０１と別に構成したが、これらの機能もプログラムによってマイクロプロセッサ５０１に持たせるようにしても良い。本発明の第２実施形態では、マイクロプロセッサをカメラ１０８動作時に選択すべきアンテナを予め設定して記憶する手段と、カメラ機能動作時に前記予め設定されたアンテナに切替えて、無線回路に接続する制御手段として機能させることで、カメラ機能動作時には、ノイズの影響による受信性能の劣化が最小となるアンテナに切替える制御を行うことができるため、カメラ機能動作による受信感度などの性能劣化を未然に防ぐことができる。またこのような構成とすることで、ひとつのマイクロプロセッサに他の制御機能と共存させることが可能であり、よりコンパクトに、安価に構成することができる。
【産業上の利用可能性】
【００２８】
本発明は、カメラ機能と通信機能の干渉による性能劣化を抑え、安定して高性能を実現することが可能な効果を有し、移動通信端末装置等に有用である。
【図面の簡単な説明】
【００２９】
【図１】本発明の第１実施形態における移動通信端末装置の実施例の構成を示す図
【図２】本発明の第１実施形態におけるカメラ動作状態に対応付けられたアンテナ制御方法を示す図
【図３】本発明の第１実施形態における印加電圧によるアンテナ切替え制御の一例を示す図
【図４】本発明の第２実施形態における移動通信端末装置の実施例の構成を示す図
【図５】従来の移動通信端末装置の一例の構成を示す図
【図６】通信形態による移動端末装置を保持する形態の違いを示す図
【符号の説明】
【００３０】
１０１  第１アンテナ
１０２  第２アンテナ
１０３  アンテナ切替え回路
１０４  デュプレクサ
１０５  送信回路
１０６  受信回路
１０７  送受信制御部
１０８  カメラ
１０９  カメラ制御部
１１０  記憶部
１１１  アンテナ切替え制御部
１１２  インタフェース
４０１  マイクロプロセッサ
４０２  プログラム記憶部
４０３  アンテナ切替え制御部
５０１  ＣＰＵ
５０２  ＲＯＭ
５０３  ＲＡＭ
【図１】
2006197451.tif 000003
【図２】
2006197451.tif 000004
【図３】
2006197451.tif 000005
【図４】
2006197451.tif 000006
【図５】
2006197451.tif 000007
【図６】
2006197451.tif 000008